(57)【特許請求の範囲】
【請求項１】
半径方向内側ビーム形成部及び前記半径方向内側ビーム形成部を少なくとも部分的に包囲する半径方向外側部を含む光学デバイスと、
光源から反射鏡を介して前記半径方向外側部へと第１の光路が形成されるように、前記光源から直接発せられた光を前記半径方向外側部に向けて第１の方向に反射し、発せられた光は前記反射鏡の焦点から生じる前記反射鏡と、
を含む装置であって、
前記半径方向外側部は、前記第１の光路に沿って前記半径方向外側部に達した入射光が前記第１の方向と平行な方向に前記半径方向外側部を出射するように透明であり、前記光源と前記半径方向外側部との間に直接延びる第２の光路に沿って前記半径方向外側部に達した光に対しては散乱及び減衰の少なくとも一方を行い、
前記半径方向内側ビーム形成部は、前記光源によって発せられた光の一部をコリメートする、装置。
【請求項２】
前記半径方向外側部は、前記第２の光路に沿って前記半径方向外側部に達した光を、当該光の少なくとも一部を複数の方向に分割することによって、散乱させる構造体を含む、請求項１に記載の装置。
【請求項３】
前記半径方向外側部は、前記第２の光路に沿って前記半径方向外側部に達した光の少なくとも一部に対して、前記光学デバイスと、前記光学デバイスの屈折率とは異なる屈折率を有する周囲空気との間の少なくとも２つの境界面を示し、前記境界面の第１の境界面は、前記境界面の第２の境界面に対して角度が付けられている、請求項１又は２に記載の装置。
【請求項４】
前記半径方向外側部は、前記第２の光路に沿って前記半径方向外側部に達した光の前記少なくとも一部に対して、少なくとも前記第１及び前記第２の境界面と、前記半径方向外側部と周囲空気との間の第３の境界面とを示す、請求項３に記載の装置。
【請求項５】
前記第３の境界面は、前記第１の境界面及び前記第２の境界面の各々に対して角度が付けられている、請求項４に記載の装置。
【請求項６】
前記半径方向外側部は、前記第１の光路に沿って前記半径方向外側部に達した光の少なくとも一部に対して、前記光学デバイスと、前記光学デバイスの屈折率とは異なる屈折率を有する周囲空気との間の２つの境界面を示し、前記２つの境界面の各々は互いに平行である、請求項１乃至５のいずれか一項に記載の装置。
【請求項７】
前記半径方向外側部は、前記半径方向外側部の第１の主面から延在し半径方向に間隔を空けた複数の突起を示す、請求項１乃至６のいずれか一項に記載の装置。
【請求項８】
前記半径方向外側部は、半径方向に間隔を空け前記反射鏡の光軸上を中心として同心円状の輪を形成する複数の環状突起を含む、請求項１乃至６のいずれか一項に記載の装置。
【請求項９】
各突起は、半径方向内側方向に面する半径方向内側側面及び半径方向外側方向に面する半径方向外側側面を示し、前記突起は、前記第２の光路に沿って前記半径方向外側部に達した光が前記内側側面及び前記外側側面の少なくとも一方と作用するように配置される、請求項７に記載の装置。
【請求項１０】
前記突起の前記半径方向内側側面と前記第２の光路との角度は、前記半径方向内側側面と前記第１の方向との角度よりも大きく、前記突起の前記半径方向外側側面と前記第２の光路との角度は、前記半径方向外側側面と前記第１の方向との角度よりも大きい、請求項９に記載の装置。
【請求項１１】
前記突起は、前記第２の光路に沿って前記半径方向外側部に達した光の第１の部分が、前記突起の前記半径方向内側側面において前記突起内へと屈折され、前記突起の前記半径方向外側側面において透過されるように形成される、請求項９又は１０に記載の装置。
【請求項１２】
前記突起は、前記第２の光路に沿って前記半径方向外側部に達した光の第２の部分が、前記突起の前記半径方向内側側面において前記突起内へと屈折され、前記反射鏡から離れる方向に前記半径方向外側部から透過される又は前記突起内で前記反射鏡に向かう方向に内面反射されるように形成される、請求項１１に記載の装置。
【請求項１３】
前記突起は、前記第２の光路に沿って前記半径方向外側部に達した光の第３の部分が、前記半径方向外側側面によって内面反射され、その後に前記反射鏡から離れる方向に前記半径方向外側部によって透過されるように配置される、請求項９乃至１２のいずれか一項に記載の装置。
【請求項１４】
前記反射鏡は、反射光をコリメートする、請求項１乃至１３のいずれか一項に記載の装置。
【請求項１５】
光源を更に含み、前記光源は、前記半径方向内側ビーム形成部及び前記反射鏡に向けて光を発する、請求項１乃至１４のいずれか一項に記載の装置。
【発明の詳細な説明】
【技術分野】
【０００１】
本発明概念は、光学デバイス及び反射鏡を含む装置に関する。
【背景技術】
【０００２】
多くのタイプの光源（例えば、ＬＥＤ、白熱光源、蛍光光源）は、発散光ビームを発する。光源によるビーム出力のピーク強度を向上させる及び／又は所望のプロファイルを有するビームを提供する為に、集束レンズがランプの出射孔に配置され得る。レンズは、レンズの光軸に沿って、光源からの光の少なくとも一部を集光及び集束し得る。単レンズ光学素子を備えたコンパクトなランプ設計を可能にする集束レンズのタイプの１つは、フレネルレンズである。しかしながら、レンズの光軸から遠く離れるにつれて、レンズの集光効率が悪くなり得る。これは、特にフレネルレンズに当てはまり得る及び集束レンズ一般にも当てはまり得る。従って、ある点を超えると、出射孔及びレンズの拡大は、より多くの光が集められてビームになるという結果を得ることができず、従って、所望のビームプロファイル及び強度増加を得ることができない。
【発明の概要】
【発明が解決しようとする課題】
【０００３】
従って、本発明概念の一般的目的は、上述の欠点を少なくとも部分的に克服することである。
【課題を解決するための手段】
【０００４】
本発明概念のある態様によれば、この目的は、半径方向内側ビーム形成部及び半径方向内側ビーム形成部を少なくとも部分的に包囲する半径方向外側部を含む光学デバイスを含む装置によって対処される。この装置は、光源から反射鏡を介して半径方向外側部へと第１の光路が形成されるように、光源によって発せられた光を半径方向外側部に向けて第１の方向に反射するように配置された反射鏡を更に含む。半径方向外側部は、第１の光路に沿って半径方向外側部に達した入射光が第１の方向と平行な方向に半径方向外側部を出射するように透明である、並びに光源と半径方向外側部との間に直接延びる第２の光路に沿って半径方向外側部に達した光に対しては散乱及び減衰の少なくとも一方を行う。
【０００５】
第１の光路に沿って半径方向外側部に達した光は、「反射光」と称される場合がある。第２の光路に沿って半径方向外側部に達した光は、「直接光」と称される場合がある。
【０００６】
光学デバイスは、光源によって発せられた光の第１の部分を所望のプロファイルを有する一次ビームに形成し得る。反射鏡は、光学デバイスの少なくとも半径方向外側部に向けて反射光ビームを指向させ得る。半径方向外側部のデザインによって、半径方向外側部に入射した反射光は、実質的に再指向されること無く透過され得る。従って、ある意味では、半径方向外側部は、反射光の透明出射窓として機能することができる。これによって、反射光は、光学デバイスを通って透過される及び一次ビームの強度に寄与することができる。従って、先行技術の集束レンズと比較して、非集束出射窓がレンズの半径方向外側集束部に取って代わる。
【０００７】
対照的に、半径方向外側部は、直接光を散乱及び／又は減衰する、並びにそれによって直接光がハロー、即ち、光の二次リングを一次ビームの周りに形成することを防止することができる。観察者にとっては、光の二次リングは、さもなければ、一次ビームの強度に寄与しないグレアとして認識され得る。従って、半径方向外側部は、グレアを生成する直接光が透過されることを防止しながら反射光に対して実質的に透明な出射窓として機能することによって二重機能を提供することができる。従って、この装置は、グレアが望まれない一方で比較的高い強度出力が望まれる適用において使用することが特に有利である。
【０００８】
半径方向外側部は、直接光を複数の異なる方向に再指向又は分割させることによって散乱させても良い。
【０００９】
ある実施形態によれば、半径方向外側部は、第２の光路に沿って半径方向外側部に達した光を、前記光の少なくとも一部を複数の方向に分割することによって、散乱させるように配置された構造体を含む。これによって、直接光を複数の方向又は「チャネル」へと分割することができる。
【００１０】
ある実施形態によれば、半径方向外側部は、第２の光路に沿って半径方向外側部に達した光の一部に対して、異なる屈折率を有する２つの媒体間の少なくとも２つの境界面を示し、前記境界面の第１の境界面は、前記境界面の第２の境界面に対して角度が付けられている。直接光の一部の光線は、第１及び第２の境界面の両方において透過される、並びに、その結果ビームの最初の方向から再指向され得る。この光線はまた、第１及び／又は第２の境界面において、同様にビームの最初の方向とは異なる更なる方向へと部分的に反射され得る。
【００１１】
ある実施形態によれば、半径方向外側部は、第２の光路に沿って半径方向外側部に達した光の前記一部に対して、異なる屈折率を有する２つの媒体間の少なくとも第３の境界面も示す。従って、直接光の前記部分は、透過及び屈折され得る、又はまた更なる境界面において部分的に反射され得、直接光の更なる散乱が生じ得る。第３の境界面は、第１の境界面及び第２の境界面の各々に対して角度が付けられても良い。これによって、直接光は、最初のビーム方向から更に一層強く偏向され得る。
【００１２】
ある実施形態によれば、半径方向外側部は、第１の光路に沿って半径方向外側部に達した光に対して、異なる屈折率を有する２つの媒体間の２つの境界面を示し、前記２つの境界面の各々は互いに平行である。従って、反射光の少なくとも一部（有利に大部分）は、半径方向外側部によって透過され得る、及び第１の方向、即ち、反射鏡が反射光を指向させる方向と平行な方向に半径方向外側部を出射し得る。前記２つの境界面の一方は、上述の第１の境界面でも良い。
【００１３】
ある実施形態によれば、半径方向外側部は、半径方向外側部の第１の主面から延在する及び第１の主面に沿って半径方向に間隔を空けた複数の突起を示す。突起は、直接光を散乱及び／又は減衰させることができる、並びに透過光に明らかに影響を与えること無く反射光を透過させることができる半径方向外側部のシンプルであるが効率的な設計を可能にする。第１の主面は、反射鏡の方に向く又は反射鏡から離れる方向に向く、のいずれかであって良い。突起は、第１の主面上で同心円状の輪として形成されても良い。環状突起は、半径方向内側ビーム形成部を中心としても良い。
【００１４】
各突起は、半径方向内側方向に面する半径方向内側側面及び半径方向外側方向に面する半径方向外側側面を示し、突起は、第２の光路に沿って半径方向外側部に達した光が内側側面及び外側側面の少なくとも一方と作用するように配置されても良い。従って、直接光は、突起の側面によって透過又は反射され得る。突起の側面と第２の光路の方向との角度は、前記側面と前記第１の方向との角度よりも大きくても良い。これは、側面と作用する直接光の割合が側面と作用する反射光の割合よりも大きくなることを可能にする。
【００１５】
ある実施形態によれば、突起は、第２の光路に沿って半径方向外側部に達した光の第１の部分が、突起の半径方向内側側面において前記突起内へと屈折される、及び前記突起の半径方向外側側面において透過されるように形成される。突起は、第２の光路に沿って半径方向外側部に達した光の第２の部分が、突起の半径方向内側側面において前記突起内へと屈折される、及び反射鏡から離れる方向に半径方向外側部から透過される又は前記突起内で反射鏡に向かう方向に内面反射されるように更に形成されても良い。突起は、第２の光路に沿って半径方向外側部に達した光の第３の部分が、半径方向外側側面によって内面反射される、及びその後に反射鏡から離れる方向に半径方向外側部によって透過されるように更に配置されても良い。各突起は、前記第１の主面と平行な端面及び半径方向外側部の第２の主面を更に示しても良く、第２の主面は、第１の主面と反対側である。端面は、突起の半径方向内側側面と半径方向外側側面との間に延在しても良い。突起のこれらの設計は、反射光が明らかに再指向されること無く透過されることを可能にしながら、装置外で混じり合う（即ち、空間的に重なり合う）ことが無い幾つかの異なるチャネルに直接光を分割することを可能にする。
【００１６】
ある実施形態によれば、前記突起は、少なくとも第１、第２及び第３の突起を含み、第１の突起は第２及び第３の突起の半径方向内側に配置される、並びに第２の突起は第３の突起の半径方向内側に配置される。ある任意選択によれば、第１の突起と第２の突起との間の半径方向間隔は、第２の突起と第３の突起との間の半径方向間隔よりも小さい、並びに第１、第２及び第３の突起の高さは等しい。ある任意選択によれば、第１の突起と第２の突起との間、及び第２の突起と第３の突起との間の半径方向間隔は等しい、第１の突起の高さは第２の突起の高さよりも大きい、並びに第２の突起の高さは第３の突起の高さよりも大きい。これらの任意選択は共に、半径方向外側部上の更に半径方向外側の光に関して入射角が増加することを考慮に入れながら、突起の設計を異ならせることを可能にする。ひいては、これは、半径方向外側部に対する材料消費を可能にする、及びその結果光学デバイスが最適化されることを可能にできる。
【００１７】
この装置は、光源を更に含んでも良い。光源は、半径方向内側ビーム形成部及び反射鏡に向けて光を発するように配置されても良い。ある実施形態によれば、半径方向内側ビーム形成部は、光源によって発せられた光の一部をコリメートするように配置される。従って、ビーム形成部は、平行一次ビームを形成するように配置されても良い。また、反射鏡は、反射光をコリメートするように配置されても良い。反射鏡は、ビーム形成部によってコリメートされたビームと平行な方向に平行反射光を指向させるように配置されても良い。ある実施形態によれば、ビーム形成部は、集束レンズである。レンズは、一次光ビームを形成する為に、光源によって発せられた発散光分布の一部を集光及び集束し得る。第１の光路は、集束レンズの焦点から反射鏡を介して半径方向外側部へと延びても良い。更に、第２の光路は、集束レンズの焦点と半径方向外側部との間に直接延びても良い。
【００１８】
更なる態様によれば、半径方向内側ビーム形成部及び半径方向内側部を少なくとも部分的に包囲する半径方向外側部を含む光学デバイスが提供され、半径方向内側ビーム形成部は、半径方向内側ビーム形成部の光軸に沿って光を集束させるように配置される。半径方向外側部は、第１の方向で半径方向外側部に達した入射光が第１の方向と平行な方向に半径方向外側部を出射するように透明である、並びに第１の方向とは異なる第２の方向で半径方向外側部に達した光に対しては散乱及び減衰の少なくとも一方を行う。半径方向内側ビーム形成部は、光軸に沿って光をコリメートするように配置されても良い。第１の方向は、半径方向内側ビーム形成部の光軸と平行でも良い。また、第２の方向は、半径方向内側ビーム形成部の焦点から半径方向外側部へと延びる光路と一致しても良い。本発明の光学デバイスは、上記に開示された態様との関連で記述された利点を示す装置を提供する為に、反射鏡と共に使用されても良い。上述の詳細、更なる利点及び実施形態を、この更なる態様に準用する。簡潔さの為に、上記の記述は、ここでは繰り返されない。
【００１９】
本発明は、クレームに記載された特徴の全ての可能な組み合わせに関することに留意されたい。
【００２０】
これより、特に断りのない限り同様の参照符号が全体を通して同様の要素を指す、本発明の実施形態を示す添付の図面を参照して、本発明のこれら及び他の態様がより詳細に説明される。
【図面の簡単な説明】
【００２１】
【図１】第１の実施形態によるランプの概略図である。
【図２】図１のランプの一部の詳細図である。
【図３】図２におけるランプの一部の詳細図である。
【図４】図１におけるランプの一部に関するレイトレースを概略的に示す。
【図５】第２の実施形態によるランプの概略図である。
【発明を実施するための形態】
【００２２】
本発明の現在好適な実施形態が示される添付の図面を参照して、これより、本発明概念の態様が、より完全に以下に説明される。但し、本発明は、多くの異なる形態で具体化することができる、及び本明細書に記載された実施形態に限定されるものとして解釈されるべきではなく、むしろ、これらの実施形態は、徹底さ及び完全性の為に提供される、並びに当業者に対して本発明の要旨を完全に伝える。
【００２３】
図１は、第１の実施形態によるランプ１の概略断面図である。ランプ１は、光源２、集束反射鏡６及び光学デバイス８を含む装置４を含む。図示された実施形態において見られるように、反射鏡６は、放物面反射鏡でも良い。放物面反射鏡を使用する利点は、それが球面収差を最小限に抑え得る点である。しかしながら、代替実施形態では、反射鏡６は、球面鏡等の任意のタイプの集束反射鏡でも良い。球面鏡を使用する利点は、それが比較的製造が簡単となり得る点である。光学デバイス８は、集束レンズの形の半径方向内側ビーム形成部１０を更に含む。図示された実施形態において見られるように、レンズ１０は、フレネルレンズでも良い。フレネルレンズは、ランプ１のコンパクトな単レンズ設計を可能にする。しかしながら、代替実施形態では、レンズ１０は、代わりに両凸又は平凸球面レンズ等の集束球面レンズでも良い。光源２、反射鏡６及びレンズ１０は、反射鏡６及びレンズ１０の光軸を表す共通軸「Ａ」に沿って配置される。従って、反射鏡６の光軸は、レンズ１０の光軸と同軸である。つまり、反射鏡６の光軸は、レンズ１０の光軸と一致する。反射鏡６及びレンズ１０は、それらそれぞれの焦点が一致するように更に配置される。
【００２４】
光学デバイス８は、以下により詳細に説明される、光学的に透明な半径方向外側部１２を更に含む。半径方向外側部１２は、半径方向外側部１２の環状部分を形成する及び半径方向にレンズ１０を包囲する。この実施形態では、半径方向は、軸Ａに対して垂直である。
【００２５】
光源２は、複数の方向に光を発するように配置される。光源２は、例えば、軸Ａに沿った発散ビームを発しても良い。光源２は、反射鏡６及びレンズ１０それぞれの焦点に配置される。光源２は、例えば、ＬＥＤ、白熱光源、蛍光光源、又はＨＩＤ光源等を含んでも良い。一部の実施形態では、光源２は、複数の上記光源を含んでも良い。理解を容易にする為に、光源２は点光源であると仮定される。但し、実際には、光源２は、幅のある面に亘って光を発しても良い。
【００２６】
光源２によって発せられた光の第１の部分は、レンズ１０の受光面に直接向かって進む。レンズ１０は、レンズ１０の光出射面から光軸Ａに沿って平行光ビームが発せられるように、光源２によって発せられた光の第１の部分を集束させるように配置される。レンズ１０によって形成された光ビームは、一次光ビーム（図１において「Ｆ」で表される近軸光線束によって示される）を形成する。レンズ１０によってコリメートされる集束光の実際の比率は、使用されるレンズのタイプ及びどの程度正確にそれが設計されたかによって決まり得ることに留意されたい。しかしながら、集束光Ｆの少なくとも一部を有利にコリメートすることができる。
【００２７】
光源２によって発せられた光の第２の部分は、光源２から反射鏡６に直接向かって進む。反射鏡６は、光源２によって発せられた光を、光学デバイス８に向かって及び半径方向外側部１２を通って進む平行光ビームへと反射及び集束させるように配置される。従って、光の第２の部分は、光源２から反射鏡６を介して半径方向外側部１２へと延びる真っ直ぐではない光路に沿って進む。光源２によって発せられた及び反射鏡６によって半径方向外側部１２に向けて反射された光は、以下において、「反射光」（図１において「Ｒ」で表される近軸光線束によって示される）と称される。反射光Ｒは、反射鏡６と半径方向外側部１２との間に延びる直線光路と平行である第１の方向と称される方向に進む。反射鏡６によってコリメートされる反射光Ｒの実際の比率は、使用される反射鏡のタイプ及びどの程度正確にそれが設計されたかによって決まり得ることに留意されたい。しかしながら、反射光Ｒの少なくとも一部を有利にコリメートすることができる。
【００２８】
半径方向外側部１２は、反射光Ｒが再指向される又は明らかに減衰されること無く、半径方向外側部１２によって透過されるように、反射光Ｒに対して透明であるように配置される。従って、反射光Ｒの透過された部分は、集束光Ｆによって形成された一次光ビームの強度に寄与することができる。共に反射光Ｒ及び集束光Ｆは、連続する一次光ビームを形成することができる。
【００２９】
光源２によって発せられた光の第３の部分は、光源２から光学デバイス８の半径方向外側部１２に直接向かって進む。従って、光の第３の部分は、光源２と半径方向外側部１２との間に直接延びる直線光路に沿って進む。光の第３の部分は、「直接光」（図１において「Ｄ」で表される光線束によって示される）と称される。直接光Ｄを形成する光線束の（候補）光線が半径方向外側部１２に向かって進む方向は、第２の方向と称される場合がある。半径方向外側部１２は、直接光Ｄに対して散乱又は減衰の少なくとも一方を行うように配置される。従って、直接経路に沿って半径方向外側部１２を通って透過された光の強度は、半径方向外側部１２に入射した直接光Ｄの強度よりも明らかに低くなり得る。従って、ランプ１の外側で、直接光Ｄの強度を有利に低下させることができ、一次ビームの外側で光の二次リング（即ち、グレア）の形成を回避することができる。
【００３０】
任意の透明素子がそうであるように、半径方向外側部１２は、反射光Ｒも僅かに減衰させ得る。しかしながら本実施形態では、半径方向外側部１２による直接光Ｄの減衰は、半径方向外側部１２による反射光Ｒの減衰を有利に明らかに超える。つまり、半径方向外側部１２は、反射光Ｒを第１の量だけ減衰させ得る及び直接光Ｄを第２の量だけ減衰させ得るが、減衰の第２の量は、減衰の第１の量を超える。
【００３１】
図１において光線束Ｄによって概略的に示されるように、直接光Ｄは、半径方向外側部１２上の異なる半径方向位置に入射し得る、及びその結果、僅かに異なる方向から到着し得る。しかしながら、束Ｄにおける全ての光線は、光源２と半径方向外側部１２上の各点との間に直接延びる光路に沿って半径方向外側部１２に達する。
【００３２】
明瞭さの為に、集束光線Ｆ及び反射光線Ｒは、軸Ａの右手側にのみ示され、一方、直接光線Ｄは、図１において軸Ａの左手側に示される。しかしながら、実際には、集束光Ｆ、反射光Ｒ及び直接光Ｄは、軸Ａに対して回転対称分布で存在し得る。
【００３３】
図２は、半径方向外側部１２をより詳細に示す詳細図である。半径方向外側部１２は、半径方向に間隔を空けた、一般に１４で参照される複数の環状突起を含む構造体を示す。各突起１４は、軸Ａに沿って、反射鏡６から離れる方向及びレンズ１０を半径方向に包囲するようにレンズ１０に対して周方向に延在する。突起１４は、半径方向外側部１２の主面２２上に配置され軸Ａ上を中心として同心円状の輪を面２２上に形成する。面２２は、光学デバイス８の光出射面を形成する。半径方向内側突起１６（及び更なる突起１４の各々も）は、レンズ１０に向かって半径方向内側方向に面する半径方向内側側又は側方面１６ａとレンズ１０から離れる半径方向外側方向に面する半径方向外側側又は側方面１６ｂを提供する。突起１４は、入射した直接光Ｄが突起１４の内側側面及び外側側面の少なくとも一方において反射される及び／又は透過されるような高さ、幅及び間隔を示す。
【００３４】
図３を参照して、この構造体を設計する為に使用され得るレイトレーシング手順がこれより説明される。以下では、突起１４が光学デバイス８の光出射面に配置されることが仮定されるが、代わりに、光学デバイスの反対側の光入射面側の面２０上に突起を配置することも可能である。その場合、これより説明されるものと類似のやり方で構造体を設計することができる。第１の光線が光源２から点Ｐ０までトレースされる。第１の光線は、半径方向外側部１２の面２０において半径方向外側部１２に入射する。第１の光線は、半径方向外側部１２内へと屈折されて、点Ｐ１において半径方向外側部１２から出射する。従って、トレースされた第１の光線は、半径方向外側部１２に達する直接光Ｄの半径方向に最も内側の光線を示す。Ｐ０の内側の半径方向位置上で光学デバイス８に入射した光線は、代わりにレンズ１０によって屈折される。点Ｐ１において出射する際に、第１の光線は、もう一度屈折されて面２２から所定の距離ｈにある点Ｐ２にそれが達するまでトレースされる。距離ｈは、面２２上の突起１６の高さを定義する。点Ｐ２と、レンズ１０の半径方向外縁（即ち、点Ｐ１）との半径方向距離は、半径方向内側面１６ａの基点の（半径方向）位置、即ち点Ｐ４を決定する。図示された実施形態によれば、半径方向内側面１６ａは、第１の方向（即ち、反射光Ｒの方向）に平行して延在する。突起１６の半径方向寸法（即ち、幅ｗ）を決定する為に、Ｐ３における屈折後に光線がＰ４を通過するような第２の光線が、光源２から点Ｐ３までトレースされる。光線は、高さｈに到達し、それによって点Ｐ５を定義するまで、Ｐ４において屈折無しに伸びる。点Ｐ２と点Ｐ５との半径方向距離は、半径方向外側面１６ｂの基点の（半径方向）位置、即ち、点Ｐ６を決定する。図示された実施形態によれば、半径方向外側面１６ｂは、第１の方向（即ち、反射光Ｒの方向）に平行して延在する。
【００３５】
図示された実施形態では、半径方向内側面１６ａ及び半径方向外側面１６ｂは面２２に対して垂直であるが、代替実施形態（以下に更に説明される）では、非垂直構成も可能である。
【００３６】
図３に図示されるように突起１６を設計することにより、半径方向内側面１６ａに入射した直接光は、突起１６内へと屈折され得る。屈折光の第１の部分は、突起１６によって透過され半径方向外側面１６ｂで突起１６から離れ得る。屈折光の第２の部分は、光がより大きな角度へと屈折され得る突起１６の上面に達し得る。あるいは、光の第２の部分は、反射鏡６に向けて戻る方向に、突起１６内で内面全反射され得る。一方、突起１６の底面（即ち、点Ｐ４とＰ６との間）を通って突起１６に入射する光は、半径方向外側面１６ｂにおいて内面全反射され得る、及び突起１６の上面における第２の屈折後に軸Ａに対して大角度で離れ得る。上記のレイトレーシングプロセスは、更なる突起１４の位置、幅及び高さを得る為に、類似のやり方で繰り返されても良い。
【００３７】
直接光Ｄの一部（例えば、図３においてＰ０とＰ３との間の何処かで半径方向外側部に入射する光線）に関して、面２０は第１の境界面を形成する、面２２は第２の境界面を形成する、半径方向内側面１６ａは第３の境界面を形成する、及び半径方向外側面１６ｂは第４の境界面を形成し、第３及び第４の境界面は、第１及び第２の境界面に対して角度が付けられている。その一方で、反射光Ｒの一部（例えば、図３において面２０、２２に対して垂直な方向に進む光線）に関して、面２０は第１の境界面を示す、及び面２２（又は光線の軸外距離によっては、突起１６の上面）は、第２の境界面を形成し、前記２つの境界面の各々は、互いに平行である。この文脈では、「境界面」は、異なる屈折率、即ち、周囲空気の屈折率及び光学デバイス８が形成された透明材料の屈折率を有する２つの媒体間の境界面として理解され得る。この様に半径方向外側部１２を設計することにより、光源２からの直接光Ｄは、半径方向外側部１２によって実質的に不変の方向に透過される代わりに、複数の異なる方向又はチャネルへと分割され得る。その一方で、反射光Ｒは、明らかに影響を受けること無く、半径方向外側部１２によって透過され得る。
【００３８】
突起１６の高さｈは、好ましくは、半径方向に最も内側の第１の光線が半径方向内側面１６ａの最上部に当たるような高さである。即ち、高さｈは、半径方向に最も内側の第１の光線が突起１６の半径方向内側面１６ａによって「捉えられる」ように選択されても良い。この原理を更なる突起１４に適用することにより、第１の突起の高さｈと、第１の突起と第２の隣接する突起との間の半径方向間隔との比率が、第１の突起と第２の突起との間に延在する面２０の接続部分において透過された何れの直接光Ｄも第２の突起の半径方向内側側面に当たるような比率となり得るという結果となる。比率は、これより大きい必要はないが、設計上の理由から所望であれば、より大きくされても良い。直接光Ｄの一部のみの散乱又は減衰が許容される場合には、比率は、第１の突起と第２の突起との間に延在する面２０の接続部分において透過された直接光Ｄの一部が半径方向内側面を避ける及び第２の突起を通り越して上側に進むように、より小さくても良い。
【００３９】
比率に関する記述から、突起１４の全て又は一部が同じ高さを有していても良い、及び隣接する突起１４間の半径方向間隔が半径方向外側方向に沿って増加しても良い（図２において見られるように）ことを理解することができる。代替的又は追加的に、突起１４の全て又は一部間の半径方向間隔は等しくても良いが、半径方向内側突起の高さは、半径方向外側突起の高さよりも大きい。
【００４０】
図４は、半径方向外側部１２の突起１４が図３に関連して説明された手順に従って設計されたランプ１のレイトレースの結果を示す。簡単にする為に、ランプ１の一部のみに関する、結果として得られた光線が示される。
【００４１】
平行な半径方向内側及び外側側面を有する代わりに、各突起１４は、第１の方向（即ち、反射光Ｒの方向）に沿ってテーパー状でも良い、即ち、第１の方向に沿って減少する幅ｗを示しても良い。突起１６を例に示すと、この任意選択によれば、半径方向内側１６ａ及び外側面１６ｂは、第１の方向に対して異なるゼロ以外の角度で延在しても良い。突起１６は、半径方向内側１６ａ及び外側面１６ｂがつながって先端を形成するように高さｈまで延在されても良い。半径方向内側及び外側面１６ａ、１６ｂが非平行であることによって、半径方向内側面１６ａにおいて突起に入射する及び半径方向外側面１６ｂにおいて出射する光線は、単に平行がずれるだけでなく、更に一層強く屈折され得る。例えば、半径方向内側面及び半径方向外側面の各々は、第１の方向に対して０〜１０°の範囲の角度で延在しても良い。角度をこの範囲に限定することによって、反射光Ｒの大部分は、半径方向内側又は外側面１６ａ、１６ｂによって明らかに影響を受ける（例えば、屈折される）ことがない。
【００４２】
当業者は、本発明が決して上記の実施形態に限定されないことを理解する。それどころか、多くの変更形態及び変形形態が添付の特許請求の範囲の範囲内で可能である。ある変形形態では、各突起１４の半径方向内側面（及び場合によっては半径方向外側面も）は、光散乱面（例えば、面１６ａ、１６ｂが粗面化されても良い）を備えていても良い。それによって、入射した直接光Ｄは、更に散乱され得る。更なる変形形態では、各突起１４の半径方向内側面（及び場合によっては半径方向外側面も）は、完全に又は部分的に不透明面として設けられても良い。例えば、各面は、不透明コーティングが与えられても良い。それによって、直接光Ｄは、阻止され得る（完全不透明面の場合）又は減衰され得る（部分的に不透明面の場合）が、反射光Ｒは、明らかに影響を受ける（例えば、再指向される又は減衰される）こと無く、半径方向外側部によって透過され得る。
【００４３】
図５は、ランプ１に類似したランプの更なる実施形態を示す。但し、それは、突起１４の代わりに、半径方向外側部１１２において一体化された複数の完全又は部分的不透明環状部分又は隔壁１１４を備えた透明半径方向外側部１１２を含む光学デバイス１０８を含む。部分１１４は、レンズの光軸Ａを中心とした同心円状の輪を形成する。部分１１４の高さは、好ましくは、半径方向外側部１１２の厚さと等しい。突起１４の高さと半径方向間隔との比率の上記記述は、部分１１４の高さ及び間隔に準用される。好ましくは、この比率は、光源２によって発せられた直接光Ｄの少なくとも大部分が部分１１４によって阻止される（完全不透明部分１１４の場合）又は減衰される（部分的不透明部分１１４の場合）ような比率である。部分１１４は、反射光Ｒの方向と平行な方向に延在する。従って、光源２から反射鏡６を介して半径方向外側部１１２へと延びる光路に沿って半径方向外側部１１２に達した光の大部分は、部分１１４によって明らかに影響を受ける（例えば、再指向される又は減衰される）こと無く、半径方向外側部によって透過され得る。
【００４４】
上記では、平行光ビームをもたらす光源２、反射鏡６及びレンズ１０の装置が説明されたが、本発明は、他の非コリメート装置にも適用できる。例えば、光源２は、所定量だけ発散する光ビーム（即ち、レンズ１０の光軸から発散する光線束Ｆ）をレンズ１０から得る為に、レンズ１０の焦点距離よりも小さいレンズ１０からの距離に配置されても良い。光源２は、所定量だけ発散する反射光ビーム（即ち、レンズ１０の光軸に対して発散する光線束Ｒ）を得る為に、反射鏡６の焦点距離よりも小さい反射鏡６からの距離に更に配置されても良い。レンズ１０によって形成される光ビームの発散量は、反射鏡６によって形成される光ビームの発散量と同じでも良い。かかる装置では、突起１４に類似した突起が半径方向外側部１２上に設けられても良いが、これらは、代わりに、反射光Ｒの入射方向（従ってこの方向は、レンズ１０の軸Ａに対して非平行である）に沿って延在する、並びに光源２からの直接光Ｄが複数の異なる方向に分割されるような幅、高さ及び間隔を示す。この様な突起は、上記で開示した手順と類似したレイトレーシング手順を使用して設計されても良い。代替的に、図５における部分１１４と類似した部分は、反射光Ｒの入射方向と平行又はほぼ平行となるように傾斜して半径方向外側部１１２と一体化されても良い。
【００４５】
光学デバイス８、光学デバイス１０８、及びそれらの上記変形形態は、本発明概念の独立態様の実施形態と見なすことができる。図１及び図５を参照して、それに従って、レンズ等の半径方向内側ビーム形成部１０、及び半径方向内側部１０を少なくとも部分的に包囲する半径方向外側部１２、１１２を含む光学デバイス８、１０８が提供され、半径方向内側ビーム形成部１０は、半径方向内側ビーム形成部１０の光軸Ａに沿って光を集束させる、好ましくはコリメートさせるように配置される、並びに半径方向外側部１２、１１２は、好ましくは光軸Ａと平行である第１の方向に半径方向外側部１２、１１２に達した入射光が第１の方向と平行な方向に半径方向外側部１２、１１２を出射するように透明である、及び第１の方向とは異なる第２の方向に半径方向外側部１２、１１２に達した光に対しては散乱及び減衰の少なくとも一方を行う。第２の方向は、半径方向内側ビーム形成部１０又はレンズの焦点から半径方向外側部１２、１１２に延びる光路と一致し得る。
【００４６】
更に、開示された実施形態に対する変形形態は、図面、開示内容、及び添付の特許請求の範囲の研究から、請求項に係る発明の実施において、当業者によって理解され得る及びもたらされ得る。クレームにおいて、「含む」（「comprising」）という用語は、他の要素又はステップを排除しない、及び不定冠詞「a」又は「an」は、複数を排除しない。特定の手段が互いに異なる従属クレームに記載されているという事実だけでは、これらの手段の組み合わせを有利に使用できないことを意味しない。
【図１】
0006351634.tif 000002
【図２】
0006351634.tif 000003
【図３】
0006351634.tif 000004
【図４】
0006351634.tif 000005
【図５】
0006351634.tif 000006